(57)【要約】【課題】  マスクのフィルター機能を損なうことなく、簡単な操作でマスクを収納することが可能であると共に、嵩張らず持ち運びが容易であると共に、破れ難く丈夫なマスク収納具を提供する。【解決手段】  二つ折り可能なシート体と、上記シート体を二つ折りとした際に当接する内側面部に配設された光触媒作用を有する抗菌不織布とから形成された構成とする。【選択図】  図１
0003157946.tif 000002
【実用新案登録請求の範囲】
【請求項１】
二つ折り可能なシート体と、上記シート体を二つ折りとした際に当接する内側面部に配設された光触媒作用を有する抗菌不織布とから形成されたことを特徴とするマスク収納具。
【請求項２】
上記シート体は可撓性を有する合成樹脂フィルムから形成されると共に、
上記抗菌不織布は、マスクのフィルター部を被覆しうる大きさ寸法に形成されていることを特徴とする請求項１記載のマスク収納具。
【請求項３】
上記シート体の両端部には、上記シート体を二つ折り状態に保持しうる止着部材が配設されていることを特徴とする請求項１記載のマスク収納具。
【請求項４】
上記止着部材は一対の面ファスナーから形成されていることを特徴とする請求項３記載のマスク収納具。
【請求項５】
上記シート体には、マスクを収納する向きを識別しうる識別マークが付されていることを特徴とする請求項１〜４いずれか１項に記載のマスク収納具。
【考案の詳細な説明】
【技術分野】
【０００１】
本考案は、抗菌状態を保持したままマスクを保管しうると共に、携帯が容易なマスク収納具に関する。
【背景技術】
【０００２】
近年、ガーゼタイプのマスクに代わり、使い捨ての不織布製マスクが利用されることが多くなっている。
上記使い捨てマスクは、一度でも外した場合は廃棄し、新しいマスクを装着することを基本としているが、実際には、２４時間マスクを装着し続けることは困難であることから、適宜、同じマスクで着脱を繰り返している。
この場合、マスク外側面部に付着したウイルス、細菌等が手に付着する虞があると共に、顔に当接するマスクの内側面部にも付着する虞があるため、これらウイルス等に感染する危険性を有していた。
一方、マスクを外す都度、新しいマスクに取替えると、必然的に廃棄されるゴミの量も多くなり、コストがかかると共に、環境の観点からも好ましいことではない。
【０００３】
上記の問題を解決するため、抗菌性の不織布が内面に配設された布製の袋体で形成された布材からなるマスク収納用袋が流通している。
しかしながら、上記マスク収納袋は、袋上部開口部若しくは両側部の開口部よりマスクのフィルター部二つ折にして挿入して収納する。
このため、収納操作が非常に行い難く、また、マスクを折畳む際に、手にウイルスが付着する危険性を有し、また、収納後は上記マスク収納用袋が膨らみ、非常に嵩張るという不具合を有していた。
また、マスクのフィルター部を折畳むことによって、折り目部分においてフィルター部の繊維が切断される、若しくは、フィルター部の網目が拡張してしまう可能性が高く、マスクのフィルター機能が大きく損なわれるという不具合を有していた。
【考案の開示】
【考案が解決しようとする課題】
【０００４】
本考案の解決する課題は、マスクのフィルター機能を損なうことなく、簡単な操作でマスクを収納することが可能であると共に、嵩張らず持ち運びが容易であると共に、破れ難く丈夫なマスク収納具を提供することにある。
【課題を解決するための手段】
【０００５】
上記課題を解決するために、請求項１の記載の考案に係るマスク収納具は、二つ折り可能なシート体と、上記シート体を二つ折りとした際に当接する内側面部に配設された光触媒作用を有する抗菌不織布とから形成されたことを特徴とする。
【０００６】
従って、上記シート体を見開いた状態で、マスクを拡げた状態で載置して、上記シート体を二つ折りにすることで、上記シート体によってマスクを挟持して収納し、マスク上の菌の繁殖を抑制する。
【０００７】
また、請求項２に記載の考案に係るマスク収納具は、上記シート体は可撓性を有する合成樹脂フィルムから形成されると共に、上記抗菌不織布は、マスクのフィルター部を被覆しうる大きさ寸法に形成されていることを特徴とする。
従って、マスクを折畳む必要が無く、上記抗菌不織布によって上記マスクのフィルター部の全域が被覆され、マスク上の菌の繁殖を抑制する。
【０００８】
また、請求項３に記載の考案に係るマスク収納具は、上記シート体の両端部には、上記シート体を二つ折り状態に保持しうる止着部材が配設されていることを特徴とする。
【０００９】
従って、上記マスク収納具を携行中に、上記シート体が二つ折り状態のまま保持される。
【００１０】
また、請求項４に記載の考案に係るマスク収納具は、上記止着部材は一対の面ファスナーから形成されていることを特徴とする。
【００１１】
また、請求項５に記載の考案に係るマスク収納具は、上記シート体には、マスクを収納する向きを識別しうる識別マークが付されていることを特徴とする。
従って、マスクの外側面部と、口に当接する内側面部とを確認しながら、収納することができる。
【考案の効果】
【００１２】
請求項１及び２の考案にあっては、二つ折り可能なシート体と、上記シート体を二つ折りとした際に当接する内側面部に配設された光触媒作用を有する抗菌不織布とから形成されていることから、マスクを折畳むことなく収納することが可能であるため、マスクのフィルター機能を損なうことなく、且つ収納操作も極めて簡単であると共に、マスクを収納した状態でも嵩張らず、持ち運びが容易であり、さらにシート体によって抗菌不織布が保護されるため、抗菌不織布が破れ難いマスク収納具を提供することができる。
特に請求項２の考案にあっては、上記シート体は可撓性を有する合成樹脂フィルムから形成されると共に、マスクを伸延した状態で挟持して被覆しうる大きさ寸法に形成され、上記抗菌不織布は、マスクのフィルター部を被覆しうる大きさ寸法に形成されていることから、請求項１の考案の効果に加え、マスクのフィルター部がより確実に抗菌作用が発揮される。
【００１３】
また、請求項３〜４の考案にあっては、上記シート体を二つ折りにした際に互いに当接する両端部には、上記シート体を二つ折り状態に保持しうる止着部材が配設されていることから、上記シート体が二つ折り状態のまま保持されるため、携行時に上記シート体が開いて、挟み込んだマスクが落下する等によって汚染される事態を防止することができる。
特に、請求項４の考案にあっては、上記止着部材は一対の面ファスナーから形成されていることから、請求項４の考案に加え、繰り返し着脱しても止着力が落ち難い。
【００１４】
また、請求項５の考案にあっては、上記シート体には、マスクを収納する向きを識別しうる識別マークが付されていることから、マスクの外側面部の汚れが、抗菌不織布を介して、マスクの内側面部に付着する事態を防止することができる。
【図面の簡単な説明】
【００１５】
【図１】本考案の一実施の形態を示し、実施例の形態におけるマスク収納具の見開き状態の平面図である。
【図２】本考案の一実施の形態を示し、実施例の形態におけるマスク収納具を二つ折状態にした状態の平面図である。
【考案を実施するための最良の形態】
【００１６】
以下添付図面を用いて本実施例の形態について説明する。
図１に示すように、本実施例に係るマスク収納具１０は、可撓性を有する合成樹脂フィルムから形成され、二つ折り可能なシート体１１と、上記シート体１１を二つ折りとした際に当接する内側面部１２に配設されたセラミック複合体からなる抗菌不織布１３とから形成されている。
また、図２に示すように、上記抗菌不織布１３は、マスク１４のフィルター部１５を被覆しうる大きさ寸法に形成されている。
また、図１に示すように、上記シート体１１の両端部１１ａ、１１ｂには、上記シート体１１を二つ折り状態に保持しうる面ファスナー１６、１６が配設されている。
また、図２に示すように、上記シート体１１の外側面部１７には、マスク１４を収納する向きを識別しうる識別マーク１８が付されている。
【実施例１】
【００１７】
本実施例の構成について以下添付図面を引用して詳述する。
図１は本実施例に係るマスク収納具１０の見開き状態の平面図である。
図１に示すように、上記マスク収納具１０は、ポリプロピレン若しくはポリエチレンテレフタレート等の合成樹脂材から形成された、長方形に形成されたシート体１１と、上記シート体１１を折り曲げ線１９を介して二つ折にした際に当接する内側面部１２の略全域に配置された、光触媒作用を有する抗菌不織布１３が貼設固定されている。
光触媒作用を有するものとしては、例えばチタン酸化物等の抗菌作用を有する物質があるが、上記のほか抗菌作用が公知である既存物質への置換も可能である。
【００１８】
上記シート体１１は、長さ方向寸法約２３０ｍｍ、幅方向寸法約２００ｍｍに形成され、上記抗菌不織布１３は、長さ方向寸法約２００ｍｍ、幅方向寸法約１９０ｍｍの長方形に形成され、上記シート体１１の内側面部１２の長さ方向端部から夫々約１５ｍｍずつ、幅方向端部から約１５ｍｍずつ離間して配置されている。
なお、上記各寸法は、一般的に市販されている紙製の使い捨てマスクのフィルター部分を上記抗菌不織布１３で被覆しうる大きさに設計されるため、収納するマスクの種類に合わせて適宜変更することが可能である。
【００１９】
また、図１に示すように、上記面ファスナ−１６、１６は上記シート体１１の内側面部１２の幅方向両端部１１ａ、１１ｂにおいて、長さ方向略中央部に配設されている。
【００２０】
また、図２に示すように、上記シート体１１の外側面部１７の幅方向一方半部上には、マスク１４を載置する方向を識別するための識別マーク１８が付されている。
【００２１】
上記実施例の作用について以下図面を用いて詳述する。
図１に示すように、マスク１４の紐部２０（夫々図１には図示せず）を指等で把持して、上記シート体１１の内側面部１２の一方の幅方向半部上に載置する。
この際、上記識別マーク１８を確認し、マスク１４の外側面部と内側面部が、常に上記抗菌不織布１３の同一の幅方向半部に当接するように上記マスク１４を載置する。
【００２２】
その後、図２に示すように、マスク１４は、上記シート体１１及び抗菌不織布１１を上記折り曲げ線１９に沿って、二つ折りにすることで、上記シート体１１及び抗菌不織布１３の幅方向半部によって挟持され、更に、上記面ファスナー１６、１６が互いに接着して上記シート体１１が二つ折り状態で保持される。
【００２３】
上記の一連の操作において、マスク１４のフィルター部１５には一切手を触れる必要は無いため、手指にマスク１４のフィルター部１５に付着している菌及びウイルス等に汚染される虞がない。
更に、従来のマスク収納袋と異なり、マスク１４のフィルター部１５を折り曲げる必要が無いため、収納操作において、マスク１４のフィルター部１５の繊維が破断し、マスク１４のフィルター機能が損なわれる事態を防止することができると共に、収納状態でも上記マスク収納具１０が膨らむことがないため、携行の際に嵩張らず、持ち運びが非常に容易である。
【００２４】
また、マスク１４の外側面部と内側面部が、上記抗菌不織布１３の同一の幅方向半部に当接するため、マスク１４の外側面部の汚れが、抗菌不織布１３を介して、マスクの内側面部に付着することがない。
【００２５】
なお、本実施例においては止着部材に面ファスナーを用いた形態を例に説明したが、繰り返し着脱可能な粘着テープ等を用いても、本実施例と同様の作用及び効果を得ることが可能である。
また、シート体の素材についても本実施例で示したポリプロピレン、ポリエチレンテレフタレートの他、同様の強度、可撓性、及び防水性等を有した素材であれば適宜選択することが可能である。
また、識別マークは図絵を印字する、若しくはシール等を貼付する方法が考えられ、視認可能なマークであればその付着方法は問わない。
【産業上の利用可能性】
【００２６】
本考案は、抗菌状態を保持したままマスクを保管しうると共に、携帯が容易なマスク収納具に広く適用が可能である。
【符号の説明】
【００２７】
１０  マスク収納具
１１  シート体
１１ａシート体の幅方向端部
１１ｂシート体の幅方向端部
１２  シート体の内側面部
１３  抗菌不織布
１４  マスク  
１５  マスクのフィルター部
１６  面ファスナー
１７  シート体の外側面部
１８  識別マーク
１９  折り曲げ線
２０  マスクの紐部
【図１】
0003157946.tif 000003
【図２】
0003157946.tif 000004